(57)【特許請求の範囲】
【請求項１】
記録媒体を繰り返し再生する繰り返し再生開始点及び終了点を設定する繰り返しポイント設定手段と、
前記繰り返し再生開始点から終了点までの区間について前記記録媒体を繰り返し再生する繰り返し再生手段と、
前記繰り返し再生開始点及び終了点の少なくとも一方を修正して設定する繰り返しポイント修正手段と、
前記繰り返し再生開始点から終了点までの区間について前記記録媒体から再生されたデータをサンプリングして全てサンプル用メモリに記憶するサンプラー手段とを有し、
前記サンプル用メモリから読み出したデータを前記記録媒体から再生中のデータに混合することを特徴とする記録媒体再生装置。
【請求項２】
請求項１記載の記録媒体再生装置において、
前記記録媒体から再生されるデータの再生レベルを調整する調整手段を
有することを特徴とする記録媒体再生装置。
【発明の詳細な説明】
【０００１】
【発明の属する技術分野】
本発明は記録媒体再生装置に関し、特に、記録媒体に記録された音楽をリミックスするための特殊再生機能を有するＣＤプレーヤ等の記録媒体再生装置に関する。
【０００２】
【従来の技術】
従来より、音楽が記録されたＣＤ（コンパクトディスク）を使用して、音楽のテンポやキーを変えたり、同一フレーズを繰り返し再生したり、気に入ったフレーズをミックスしたり、さらにミキサのクロスフェーダを使って音楽をつないだりすることにより自分用のオリジナル演奏を行ったりする、ＤＪ( ディスクジョッキー) 等に用いられる記録媒体再生装置が存在する。
【０００３】
このような記録媒体再生装置において、曲の演奏中に自分の気に入ったフレーズをミックスできるようにするために、そのフレーズを予めサンプリングしてメモリに記憶しておくサンプラー機能を有している。従来のサンプラー機能においては以下のようにして所定のフレーズのサンプリングを行う。例えば、曲の再生中にサンプリングしたい部分でサンプリング開始の操作ボタンを押す。これによってメモリに所望のフレーズの記憶、つまりサンプル録音が開始される。そして、メモリの容量が一杯になるまでの時間だけ記億が行われる。また、メモリが一杯になる前においてサンプリングを終了したい場合は、曲の終了したい部分でサンプリング終了の操作ボタンを押すことにより所望のフレーズの記憶、つまりサンプル録音が終了する。
【０００４】
次に、サンプル録音を再生する場合、サンプリング再生のボタンを押すことによりサンプル録音の開始部分から再生が開始され、サンプル録音の終了部分まで再生が行われることによりサンプル演奏が行われる。また、サンプル録音をメモリから繰り返し読み出すことによりサンプル録音のループ演奏を行うことも可能である。
【０００５】
【発明が解決しようとする課題】
従来の記録媒体再生装置は、サンプリングを行う時には、実際に再生されている曲を聴きながらユーザがサンプリング開始／終了の操作ボタンを押すという手動操作により、サンプリングの開始点と終了点を設定していたため、正確に開始点、終了点を設定することが難しく、必要な音が記憶されずにフレーズの最初の音が途中から始まったり、最後の音が途中で切れてしまっていたりという不都合や、逆に不必要な音がサンプルとして記憶されたりする、という問題が生じていた。
【０００６】
特に、必要な音が記憶されていない場合には、所望のフレーズを録音するため再度上記の動作を繰り返すしかなく、例えばサンプリング開始をうまく設定できてもサンプリング終了ををうまく設定できなかった場合には再度上記の動作を繰り返さなければならず、非常に手間がかっていた。また、オーディオ信号のレベルは時間と共に変化し、一様ではないため、とくに設定した期間が短い場合は、サンプリングした音が全体にレベルが低いことがあり、サンプル再生した場合に再生音のレベルが非常に低いといった問題が生じていた。
【０００７】
本発明は、上記の点に鑑みなされたもので、サンプリング開始点及び終了点の設定及び修正を簡単に行うことができ、適切なサンプリングを行うことができる記録媒体再生装置を提供することを目的とする。
【０００８】
【課題を解決するための手段】
請求項１に記載の発明は、記録媒体を繰り返し再生する繰り返し再生開始点及び終了点を設定する繰り返しポイント設定手段と、
前記繰り返し再生開始点から終了点までの区間について前記記録媒体を繰り返し再生する繰り返し再生手段と、
前記繰り返し再生開始点及び終了点の少なくとも一方を修正して設定する繰り返しポイント修正手段と、
前記繰り返し再生開始点から終了点までの区間について前記記録媒体から再生されたデータをサンプリングして全てサンプル用メモリに記憶するサンプラー手段とを有し、
前記サンプル用メモリから読み出したデータを前記記録媒体から再生中のデータに混合する。
【０００９】
このように、設定されている繰り返し再生開始点及び終了点を別々に修正して、繰り返し再生開始点から終了点までの区間について記録媒体から再生されたデータをサンプリングして全てサンプル用メモリに記憶するため、サンプリング開始点及び終了点の設定及び修正を簡単に行うことができ、適切なサンプリングを行うことができる。
【００１０】
請求項２に記載の発明は、請求項１記載の記録媒体再生装置において、
前記記録媒体から再生されるデータの再生レベルを調整する調整手段を有する。
【００１１】
このように、記録媒体から再生されるデータの再生レベルを調整することができるため、サンプリングしようとするデータのレベルを事前に調整することができ、調整された適切なレベルでサンプル用メモリに記憶されることから、適切なレベルでサンプル再生を行うことができる。
【００１２】
【発明の実施の形態】
図１は、本発明の記録媒体再生装置の一実施例のブロック構成図を示す。同図中、ＣＤ再生部１０は、記録媒体であるＣＤ（コンパクトディスク）を通常の再生速度の２倍の速度で回転駆動し、ＣＤ再生部１０のピックアップより再生された２倍速の再生信号はＲＦアンプを通じてＣＤ再生部１０内のＣＤ再生用ＤＳＰ（ディジタル・シグナル・プロセッサ）に供給され、ここで、ＥＦＭ（エイト・ツー・フォーティーン・モジュレーション）復調、ＣＩＲＣ（クロスインターリーブ・リードソロモン・コード）のデコード等の信号処理が行われる。
【００１３】
また、再生信号からサブコードが分離され、サブコードのデコード処理が行われる。サブコードデータはメインマイクロコンピュータ（以降、「メインマイコン」と略す。）１２からのカウンタ信号にしたがってメインマイコン１２内のＲＡＭに格納される。また、ＣＤ再生用ＤＳＰで信号処理されたオーディオデータはデータメンテナンス用のＤＳＰ１４に供給される。
【００１４】
ＤＳＰ１４にはオーディオデータを格納するためのＤＲＡＭ（ダイナミックＲＡＭ）１６が接続されており、ＤＳＰ１４はメモリコントローラの役割を持っている。ＤＲＡＭ１６は送られてくるオーディオデータを例えば約１０秒間格納することができ、ディフェクト等により音飛びが生じた場合の保護のためのアンチショック機能、また所望の曲を瞬時に音出しするためのクイックスタート機能、所定の２点間を繰り返し再生するためのシームレスループ機能、スクラッチ処理を行う機能、曲のテンポの可変する機能、再生速度を徐々に減速して曲を止めるブレーキ機能等を実現するために用いられる。
【００１５】
ＤＳＰ１４は２倍速で読み出されたオーディオデータをメインマイコン１２からのカウンタ信号に従ってＤＲＡＭ１６に書き込むと同時に、メインマイコン１２からのカウンタ信号に従ってオーディオデータを１倍速で読み出してＣＤ音エフェクト用のＤＳＰ１８に供給する。
【００１６】
ＤＳＰ１８には作業用メモリとしてのＤＲＡＭ２０が接続されており、ＤＳＰ１８はキー（音程）の調整、出力レベルの調整、曲中のボーカル音量のみを下げるボイスリデュース機能等の各種エフェクト処理を実行する。ＤＳＰ１８の出力するオーディオデータはデジタルフィルタを通じてＤ／Ａコンバータ２２に供給されると共に、サンプラーエフェクト用のＤＳＰ２６に供給される。
【００１７】
ＤＳＰ２６にはデータを格納するためのＤＲＡＭ（ダイナミックＲＡＭ）２８が接続されており、ＤＳＰ２６はメモリコントローラの役割を持っている。ＤＲＡＭ２８はオーディオデータを例えば約１０秒間格納することができる。ＤＳＰ２６はサンプラー処理を行う。ユーザが指定するサンプリング開始点からサンプリング終了点までの期間のオーディオデータをＤＲＡＭ２８に記憶し、ユーザが指定する再生タイミングで記憶されたオーディオデータを読み出してＤ／Ａコンバータ３０に供給すると共にＤＳＰ１８に供給する。ＤＳＰ１８では自装置の出力オーディオデータにＤＳＰ２６からのオーディオデータを混合してＤ／Ａコンバータ２２に供給する。
【００１８】
また、メインマイコン１２には処理のためのプログラムやデータが記憶されたＥＰＲＯＭ（イレーザブル・プログラマブルＲＯＭ）３２と、曲( またはトラック) 毎にテンポ値、ループポイント等の各種設定値が記憶されるＥＥＰＲＯＭ（エレクトリック・イレーザブル・プログラマブルＲＯＭ）３４が接続されている。クロックジェネレータ３６はクロック信号を生成してＣＤ再生部１０及びメインマイコン１２に供給している。
【００１９】
また、メインマイコン１２はカウンタ信号に従って内蔵するＲＡＭからサブコードを読み出してコントローラユニット４０のマイクロコンピュータ（以降、「マイコン」と略す。）４２に供給する。マイコン４２はサブコードをタイムコードに変換してディスプレイ４４上に表示する。コントローラユニット４０にはユーザが操作する各種の操作キー等が設けられた操作部４６が設けられ、マイコン４２に接続されている。
【００２０】
図２及び図３はＤＳＰ１４，１８，２６の機能ブロック図を示す。図２において、ＤＳＰ１４の比較接続機能５０は２倍速で読み出されたオーディオデータをメインマイコン１２からのカウンタ信号の制御に基づきＤＲＡＭ１６に記憶された最後尾のデータと比較して接続する。メモリライト機能５１は接続されたオーディオデータをＤＲＡＭ１６に書き込む。メモリリード機能５２はＤＲＡＭ１６からオーディオデータを読み出す。テンポ機能５４ではメモリリード機能５２の読み出し速度を可変してテンポの調整を行う。フェードイン／フェードアウト機能５５はフェードイン／フェードアウト時のオーディオデータのレベル調整を行う。
【００２１】
図３において、ＤＳＰ１８のデエンファシス機能６０はＣＤ録音時のエンファシスを元に戻すデエンファシス処理を行う。キー調整機能６１は、テンポを固定してキー（音程）を可変調整する。ＢＰＭ（ビート・パー・ミニッツ）機能６２は曲の１分間当たりのビート数を計測する。ボイスリデュース機能６３は曲中のボーカル音量のみを下げる。出力レベル調整機能６４は出力レベルの調整を行う。出力レベル調整機能６４の出力するオーディオデータは混合機能６５を通して出力されると共に、スイッチ６６のオン時にＤＳＰ２６のサンプラー機能６７に供給される。
【００２２】
サンプラー機能６７はＤＲＡＭ２８にオーディオデータを書き込み、また、スイッチ７０のオン時に、ＤＲＡＭ２８からオーディオデータを読み出す。テンポ機能６８ではサンプラー機能６７から供給されるオーディオデータのテンポの調整を行う。キー調整機能６９は、テンポを固定してキー（音程）を可変調整し、その後、キー調整機能６９の出力するオーディオデータはスイッチ７０を通して出力されると共に、ＤＳＰ１８のスイッチ７１（スイッチ７０と連動してオンする）を通して混合機能６５に供給され、出力レベル調整機能６４からのオーディオデータと混合されて出力される。
【００２３】
なお、図１に示す記録媒体再生装置は２台１組とされ、各記録媒体再生装置のメインマイコン１２は相互に制御情報を送受することにより連動して動作する。図４は２台１組の記録媒体再生装置のコントローラユニット４０の平面図を示す。なお、各記録媒体再生装置のコントローラユニット４０は同一構成であるため、図４においては一方にのみ符号を付す。
【００２４】
図４中、ディスプレイ４４の表示部８０には、トラック番号やタイムコードを初めとする各種情報が表示され、表示部８１には、ＢＰＭ値が表示される。また、操作部４６のプリセットキー８２、ジョグダイヤル８３，スキップキー８４，サーチキー８５，プレイ／ポーズキー８６，バンクキー８７，メモリキー８８，リコールキー８９，エンターキー９０，ＴＡＰキー９１，ＢＰＭキー９２，テンポＳＹＮＣキー９３，ビートＳＹＮＣキー９４，ループキー９５，Ａキー９６，Ｂキー９７，サンプルキー９８，ＩＮキー９９，ＯＵＴキー１００，テンポキー１０１，テンポボリューム１０２，スクラッチキー１０３，ブレーキキー１０４、テンキー１０５等が設けられている。
【００２５】
本発明においては、従来のように、曲の再生中にサンプリングしたい部分でサンプリング開始の操作ボタンを押し、曲の終了したい部分でサンプリング終了の操作ボタンを押してサンプル録音するのではなく、ループポイントを設定し、この設定したループポイント間をループ演奏を行って必要であればループポイントを修正し、修正されたループポイントを再生してサンプリングを行う。
【００２６】
図５は、ループポイント設定処理の一実施例のフローチャートを示す。まず、ステップＳ１０でプリセットキー８２及びジョグダイヤル８３を操作してループモードを選択し、エンターキー９０を押すと、ステップＳ１２でループモードを設定する。次に、ステップＳ１４でＡキー９６が押されてオンになったは否かを判別し、Ａキー９６が押されてオンになるとステップＳ１６に進み、現在位置をループ開始点であるＡ点として設定記憶する。次に、ステップＳ１８に進み、再生中かまたは一時停止中かを判別する。再生中であればステップＳ２２に進み、一時停止中であればステップＳ２０に進み、ジョグダイヤル等の操作によりフレームが進んだことを確認してからステップＳ２２に進む。次に、ステップＳ２２でＢキー９７が押されてオンになったは否かを判別し、Ｂキー９７が押されてオンになるとステップＳ２４に進み、現在の再生位置をループ終了点であるＢ点として設定記憶する。
【００２７】
図６は、ループ演奏処理の一実施例のフローチャートを示す。まず、ステップＳ２６でループキー９５を押してオンすると、ステップＳ２８に進み、再生中か否かを判別する。再生中であれば、ステップＳ３０に進み、ループモードであるか否かを判別する。ループモードでなければこの処理を終了し、ループモードであればステップＳ３２に進んでＣＤの再生位置をループ開始点であるＡ点に移動する。
【００２８】
次に、ステップＳ３４でループキーオン状態であるか否かを確認し、ステップＳ３６ではＣＤの再生位置がＢ点に到着したか否かを判別し、Ｂ点に到着するとステップＳ３２に進んでＣＤの再生位置をＡ点に移動し、これを繰り返す。ステップＳ３４でループキー９５がオフと判別されると、この処理を終了する。このループ演奏処理を実行することにより、必要な音が記憶されずにフレーズの最初の音が途中から始まったり、最後の音が途中で切れてしまっていたりという不都合がないかチェックすることができる。更に、ループ演奏の再生音のレベルが非常に低い場合には出力レベル調整機能６４で再生音のレベルを増大することもできる。
【００２９】
図７は、ループポイント修正処理の一実施例のフローチャートを示す。まず、ステップＳ４０でＡキー９６またはＢキー９７をダブルクリックすると、ダブルクリックしたのがＡキー９６ならばループ開始点が修正され、Ｂキー９７ならばループ終了点が修正される。次に、ステップＳ４４に進んで、ＣＤの再生位置を修正するべきＡ点またはＢ点まで移動する。
【００３０】
次に、ステップＳ４６で移動したＡ点またはＢ点で一時停止し、ステップＳ４８でその位置のタイムアドレスを表示部８０に表示する。次に、ステップＳ４８でユーザがジョグダイヤル８３を回転させることによるＡ点またはＢ点の修正を受け付ける。なお、ジョグダイヤル８３を左回転させるとＡ点またはＢ点は遅れ（タイムアドレスの値は小さくなる）、右回転させるとＡ点またはＢ点は進む（タイムアドレスの値は大きくなる）。また、ジョグダイヤルの回転に伴い再生音が出力される。従って、タイムアドレス以外に再生音によっても修正位置を確認することができる。修正操作が終了して、ユーザがＡキー９６またはＢキー９７をクリックすると、これがステップＳ５２で判別され、ステップＳ５４に進んで修正されたＡ点またはＢ点が新たなＡ点またはＢ点として更新される。
【００３１】
図８は、サンプリング処理の一実施例のフローチャートを示す。まず、ステップＳ５６でＢキー９７とＯＵＴキー１００を同時に押してオンすると、ステップＳ５８で既にループが設定されているか、つまり、Ａ点及びＢ点が記憶されているか否かを判別する。ループが設定されていなければこの処理を終了し、ループが設定されていればステップＳ６０に進む。
【００３２】
ステップＳ６０ではＣＤの再生位置をＡ点に移動してＡ点から再生を開始し、ステップＳ６２で再生されるオーディオデータをＤＲＡＭ２８に記憶する。次に、ステップＳ６４でＣＤの再生位置がＢ点に達したか否かを判別し、Ｂ点に達していなければステップＳ６６でＡ点から再生を開始して１０秒経過したか否かを判別する。この１０秒はＤＲＡＭ２８の容量に対応した値である。ここで、１０秒経過していなければステップＳ６４に進み、ＣＤの再生位置がＢ点に達した場合、または１０秒経過した場合にはステップＳ６８に進み、サンプリングを終了する。
【００３３】
このように、ループの開始点及び終了点を設定し、この設定したループの開始点及び終了点間のループ演奏を行って、必要であればループの開始点及び終了点を修正し、修正されたループの開始点及び終了点間を再生してＤＲＡＭ２８に記憶してサンプリングを行うため、所望のフレーズを確実にサンプリングすることができる。
【００３４】
なお、本発明装置では、従来と同様に、曲の再生中にサンプリングしたい部分でサンプリング開始を指示するＩＮキー９９を押してオンとし、曲の終了したい部分でサンプリング終了を指示するＯＵＴキー１００を押してオンとし、この間のオーディオデータをＤＲＡＭ２８に記憶してサンプル録音することも可能である。
【００３５】
なお、上記実施例では記録媒体としてＣＤを用いているが、ＣＤの代わりにＤＶＤ（ディジタル・バーサタイル・ディスク）やＭＤ（ミニディスク）、メモリスティック、フラッシュメモリ等の他の記録媒体を使用するものであっても良く、上記実施例に限定されない。
【００３６】
なお、ステップＳ１０〜Ｓ２４が請求項記載の繰り返しポイント設定手段に対応し、ステップＳ２６〜Ｓ３６が繰り返し再生手段に対応し、ステップＳ４０〜Ｓ５４が繰り返しポイント修正手段に対応し、ＤＲＡＭ２８がサンプル用メモリに対応し、ステップＳ５６〜Ｓ６８がサンプラー手段に対応し、出力レベル調整機能６４がレベル調整手段に対応する。
【００３７】
【発明の効果】
上述の如く、請求項１に記載の発明は、設定されている繰り返し再生開始点及び終了点を別々に修正して、繰り返し再生開始点から終了点までの区間について記録媒体から再生されたデータをサンプリングして全てサンプル用メモリに記憶するため、サンプリング開始点及び終了点の設定及び修正を簡単に行うことができ、適切なサンプリングを行うことができる。
【００３８】
また、請求項２に記載の発明は、記録媒体から再生されるデータの再生レベルを調整することができるため、サンプリングしようとするデータのレベルを事前に調整することができ、調整された適切なレベルでサンプル用メモリに記憶されることから、適切なレベルでサンプル再生を行うことができる。
【図面の簡単な説明】
【図１】本発明の記録媒体再生装置の一実施例のブロック構成図である。
【図２】ＤＳＰ１４の機能ブロック図である。
【図３】ＤＳＰ１８，２６の機能ブロック図である。
【図４】２台１組の本発明の記録媒体再生装置のコントローラユニット４０の平面図である。
【図５】ループポイント設定処理の一実施例のフローチャートである。
【図６】ループ演奏処理の一実施例のフローチャートである。
【図７】ループポイント修正処理の一実施例のフローチャートである。
【図８】サンプリング処理の一実施例のフローチャートである。
【符号の説明】
１０  ＣＤ再生部
１２  メインマイコン
１４  データメンテナンス用ＤＳＰ１４
１６，２０，２８  ＤＲＡＭ
１８  ＣＤ音エフェクト用ＤＳＰ１８
２２，３０  Ｄ／Ａコンバータ
２６  サンプラーエフェクト用ＤＳＰ２６
３２  ＥＰＲＯＭ
３４  ＥＥＰＲＯＭ
３６  クロックジェネレータ
４０  コントローラユニット
４２  マイコン
４４  ディスプレイ
４６  操作部
【図１】
0003812270.tif 000002
【図２】
0003812270.tif 000003
【図３】
0003812270.tif 000004
【図４】
0003812270.tif 000005
【図５】
0003812270.tif 000006
【図６】
0003812270.tif 000007
【図７】
0003812270.tif 000008
【図８】
0003812270.tif 000009